(57)【要約】【課題】  入力モードの切り替えなどの操作が素早くでき面倒でなく、また現在割り当てられている入力モードや入力内容などの確認を容易にすることができる情報入力装置を提供する。【解決手段】  情報機器の画面上の表示情報の中から選択された選択表示情報に関する情報を受信する受信手段１１と、選択表示情報に関する情報を記憶する記憶手段１２と、情報を表示する表示手段１３と、受信手段及び表示手段を収納するケーシングと、振動を検出する検出手段１４と、選択表示情報に関する情報に基づいて選択表示情報を生成して表示手段に表示し、また検出手段が検出した振動に基づいて、表示されている選択表示情報を記憶されている選択表示情報に関する情報に基づいて生成する選択表示情報に切り替える制御手段１５と、制御手段によって切り替えられた場合に、切り替えられた選択表示情報の選択表示情報に関する情報を情報機器へ送信する送信手段１８とを備える。【選択図】  図１
2005084742.tif 000002
【特許請求の範囲】
【請求項１】
情報機器の画面上に表示された表示情報の中から選択された選択表示情報に関する情報を前記情報機器から受信する受信手段と、
前記受信手段によって受信された前記選択表示情報に関する情報を記憶する記憶手段と、
情報を表示する表示手段と、
前記受信手段及び前記表示手段を収納するケーシングと、
前記ケーシングの振動を検出する検出手段と、
前記記憶手段に記憶された前記選択表示情報に関する情報に基づいて前記選択表示情報を生成して前記表示手段に表示し、また前記検出手段によって検出された前記振動に基づいて、前記表示手段に表示されている前記選択表示情報を前記記憶手段に記憶されている前記選択表示情報に関する情報に基づいて生成する前記選択表示情報に切り替える制御手段と、
前記制御手段によって、前記表示手段に表示されている前記選択表示情報を前記記憶手段に記憶されている前記選択表示情報に関する情報に基づいて生成する前記選択表示情報に切り替えられた場合に、前記切り替えられた前記選択表示情報の前記選択表示情報に関する情報を前記情報機器へ送信する送信手段とを、
備える情報入力装置。
【請求項２】
前記選択表示情報に応じて発光する発光手段を更に備える請求項１に記載の情報入力装置。
【請求項３】
前記ケーシングは、手に持って利用することができる形状及び構造を有している請求項１又は２に記載の情報入力装置。
【請求項４】
前記ケーシングは、ペン型の形状をしている請求項１から３のいずれか１つに記載の情報入力装置。
【発明の詳細な説明】
【技術分野】
【０００１】
本発明は、ＰＣ（Personal Computer）などの情報機器に情報を入力する情報入力装置に関する。
【背景技術】
【０００２】
従来、ＰＣなどの情報機器への入力に用いられるペン型などの入力デバイスを使用する場合、入力モードの切り替えなどの操作は、ＧＵＩ（Graphical User Interface）のメニューアイコンを選択して行うことが一般的であった。このような入力装置が下記の特許文献１に開示されている。
【特許文献１】実開昭６４−５４１４６号公報（図１）
【発明の開示】
【発明が解決しようとする課題】
【０００３】
しかしながら、特許文献１に開示されたような入力装置では、入力モードの切り替えなどの操作のたびにメニューアイコンを選択することになり、素早い操作が困難であり面倒であるという問題があった。また、現在割り当てられている入力モードや入力内容などを確認するには、その都度ＰＣなどの情報機器の画面上で確認しなければならず煩わしいという問題もあった。
【０００４】
本発明は、上記問題を解決するためのものであり、入力モードの切り替えなどの操作が素早くでき面倒でなく、また現在割り当てられている入力モードや入力内容などの確認を容易にすることができる情報入力装置を提供することを目的とする。
【課題を解決するための手段】
【０００５】
上記目的を達成するために、本発明によれば、情報機器の画面上に表示された表示情報の中から選択された選択表示情報に関する情報を前記情報機器から受信する受信手段と、前記受信手段によって受信された前記選択表示情報に関する情報を記憶する記憶手段と、情報を表示する表示手段と、前記受信手段及び前記表示手段を収納するケーシングと、前記ケーシングの振動を検出する検出手段と、前記記憶手段に記憶された前記選択表示情報に関する情報に基づいて前記選択表示情報を生成して前記表示手段に表示し、また前記検出手段によって検出された前記振動に基づいて、前記表示手段に表示されている前記選択表示情報を前記記憶手段に記憶されている前記選択表示情報に関する情報に基づいて生成する前記選択表示情報に切り替える制御手段と、前記制御手段によって、前記表示手段に表示されている前記選択表示情報を前記記憶手段に記憶されている前記選択表示情報に関する情報に基づいて生成する前記選択表示情報に切り替えられた場合に、前記切り替えられた前記選択表示情報の前記選択表示情報に関する情報を前記情報機器へ送信する送信手段とを備える情報入力装置が提供される。
【０００６】
また、本発明の情報入力装置において、前記選択表示情報に応じて発光する発光手段を更に備えることは、本発明の好ましい態様である。
【０００７】
また、本発明の情報入力装置において、前記ケーシングが手に持って利用することができる形状及び構造を有していることは、本発明の好ましい態様である。
【０００８】
また、本発明の情報入力装置において、前記ケーシングがペン型の形状をしていることは、本発明の好ましい態様である。
【発明の効果】
【０００９】
本発明の情報入力装置は、上記構成を有し、入力モードの切り替えなどの操作が素早くでき面倒でなく、また現在割り当てられている入力モードや入力内容などの確認を容易にすることができる。
【発明を実施するための最良の形態】
【００１０】
以下、本発明の実施の形態について、図１から図４を用いて説明する。図１は本発明の実施の形態に係る情報入力装置の構成を示すブロック図である。図２は本発明の実施の形態に係る情報入力装置をお絵描き用のアプリケーションに使用した場合について説明するための図である。図３は本発明の実施の形態に係る情報入力装置を文書編集に使用した場合について説明するための図である。図４は本発明の実施の形態における記憶部に記憶された情報を説明するための模式図である。
【００１１】
まず、本発明の実施の形態に係る情報入力装置の構成について図１を用いて説明する。図１に示すように、情報入力装置１０は、受信部１１、記憶部１２、表示部１３、検出部１４、制御部１５、発光部１６、切替部１７、送信部１８から構成されている。ここで、情報入力装置１０は手に持って利用することができる形状及び構造を有する筺体である。筺体は上述のケーシングに相当する。受信部１１は、情報機器の画面上に表示された表示情報の中から選択された選択表示情報に関する情報を情報機器から受信する。情報機器とは、例えばタブレットＰＣなどをいう。また、表示情報とは、例えばアイコンや文章などをいう。また、選択表示情報に関する情報とは、例えば表示情報を生成するための情報などをいう。記憶部１２は、受信部１１によって受信された選択表示情報に関する情報を記憶する。また、記憶部１２は、後述する制御部１５が選択表示情報に関する情報に基づいて選択表示情報を生成するためのプログラムなどを記憶していてもよい。表示部１３は現在割り当てられている入力モードや文章などを表示する。検出部１４は情報入力装置１０の筺体の振動を検出する。
【００１２】
制御部１５は、記憶部１２に記憶された選択表示情報に関する情報に基づいて選択表示情報を生成して表示部１３に表示し、また検出部１４によって検出された筺体の振動に基づいて、表示部１３に表示されている選択表示情報を記憶部１２に記憶されている選択表示情報に関する情報に基づいて生成する選択表示情報に切り替える。この切り替えは、記憶部１２に新しく記憶された順に切り替えてもよく、またその逆であっても構わない。発光部１６は後述する情報機器画面２０上に表示された色彩部２２の１つの色を選択すると、選択された色で発光する。切替部１７は、切替部１７が触れられることによって上述した選択表示情報の切り替えを逆順にするものである。送信部１８は、制御部１５によって表示部１３に表示されている選択表示情報が、記憶部１２に記憶されている選択表示情報に関する情報に基づいて生成する選択表示情報に切り替えられた場合に、切り替えられた選択表示情報の選択表示情報に関する情報を情報機器へ送信する。これにより、情報機器に対して表示部１３に表示されている選択表示情報の機能を用いることができ、また表示部１３に表示されている選択表示情報である文章などを入力することができる。なお、受信部１１、検出部１４、制御部１５、送信部１８は例えばＣＰＵに該当する。また、記憶部１２は、例えばＨＤＤ、ＲＯＭ、ＲＡＭに該当する。表示部１３は、例えばディスプレイに該当する。発光部１６は、例えば発光体に該当する。受信部１１、記憶部１２、表示部１３、検出部１４、制御部１５、発光部１６、切替部１７、送信部１８はバスラインによってインタフェースを介してつながれている。
【００１３】
次に、本発明の実施の形態に係る情報入力装置の具体的な使用例について図２及び図３を用いて説明する。以下では、まず、お絵描き用のアプリケーションに使用した場合について図２を用いて説明し、次に文書編集に使用した場合について図３を用いて説明する。図２に示すように、情報入力装置１０によって情報機器画面２０上に表示されたコマンド部２１の１つのコマンドを選択すると、情報入力装置１０の表示部１３には選択されたコマンド、例えば「ペン」モードが表示される。この「ペン」モードは情報機器画面２０の所定の領域に通常のペンのように自由に描くことができるモードである。また、情報入力装置１０によって情報機器画面２０上に表示された色彩部２２の１つの色を選択すると、情報入力装置１０の発光部１６は選択された色によって発光する。これらにより、現在割り当てられている入力モードなどを視覚的に確認することができる。
【００１４】
選択された「ペン」モードや色に関する情報は、記憶部１２に記憶される。記憶部１２に記憶された様子が図４に模式的に示されている。図４に示すように、選択されたコマンドや色（以下、単にコマンドとも言う）の情報が記憶されており、下に行くほど選択された時期が古く、上に行くほど選択された時期が新しい。図４では「ペン」モードが初回に選択されたことがわかる。次に選択された「虫眼鏡」モードは拡大させる機能を有するモードである。なお、記憶部１２に記憶された情報はリセットできるようにしてもよい。また、上述した例では１つずつコマンドを選択しているが、一度の選択でコマンドをすべて取り込めるようにしても構わない。
【００１５】
また、情報入力装置１０の筺体が振られる（以下、シェイクされるとも言う）ことによって、検出部１４が筺体の振動を感知し、これに基づいて制御部１５は表示部１３に表示されているコマンドを記憶部１２に記憶された直近のコマンドから順に切り替える。例えば、１回シェイクされると１回前に選択されたコマンドが表示され、ｎ回シェイクされるとｎ回前に選択されたコマンドが表示される。それに伴って送信部１８は切り替わったコマンドに関する情報を情報機器へ送信する。なお、切替部１７を、例えば押しながらシェイクすると、切替部１７を押さないでシェイクした場合と逆順にコマンドが切り替わる。すなわち、初回に選択されたコマンドから順に切り替わる。なお、情報入力装置１０はペン型をしているがこのような形状に限られるものではない。また、後述する文章編集の機能をお絵描き用のアプリケーションに適用しても構わない。
【００１６】
次に、文書編集に使用した場合について説明する。図３に示すように、操作者は、情報機器画面３０上に表示されている文書に対して、編集したい部分であるコピーアンドペースト部３１を情報入力装置１０によって選択する。選択されたコピーアンドペースト部３１の内容は、情報入力装置１０の記憶部１２に記憶され、表示部１３に表示される。このような操作を繰り返すうちに、例えばｎ回前に選択した内容を貼り付けたいという場合がある。この場合、情報入力装置１０をｎ回シェイクするとｎ回前の内容が表示部１３に表示され、表示された内容を貼り付けたい場所へ、例えば情報入力装置１０の発光部１６の一部を接触させることによって貼り付けることができる。なお、選択されたコピーアンドペースト部３１の内容の記憶部１２における記憶状態は、上述したお絵描き用のアプリケーションに使用した場合の図４に示すものと同様に考えられるため説明を省略する。また、切替部１７の使用方法も上述したお絵描き用のアプリケーションに使用した場合と同様であるため説明を省略する。
【産業上の利用可能性】
【００１７】
本発明に係る情報入力装置は、入力モードの切り替えなどの操作が素早くでき面倒でなく、また現在割り当てられている入力モードや入力内容などの確認を容易にすることができるため、ＰＣ（Personal Computer）などの情報機器への情報入力装置などに有用である。
【図面の簡単な説明】
【００１８】
【図１】本発明の実施の形態に係る情報入力装置の構成を示すブロック図である。
【図２】本発明の実施の形態に係る情報入力装置をお絵描き用のアプリケーションに使用した場合について説明するための図である。
【図３】本発明の実施の形態に係る情報入力装置を文書編集に使用した場合について説明するための図である。
【図４】本発明の実施の形態における記憶部に記憶された情報を説明するための模式図である。
【符号の説明】
【００１９】
１０  情報入力装置
１１  受信部（受信手段）
１２  記憶部（記憶手段）
１３  表示部（表示手段）
１４  検出部（検出手段）
１５  制御部（制御手段）
１６  発光部（発光手段）
１７  切替部
１８  送信部（送信手段）
２０、３０  情報機器画面
２１  コマンド部
２２  色彩部
３１  コピーアンドペースト部
【図１】
2005084742.tif 000003
【図２】
2005084742.tif 000004
【図３】
2005084742.tif 000005
【図４】
2005084742.tif 000006